(57)【要約】【課題】「ＴＴＩ-ｂｕｎｄｌｉｎｇ」を停止した後、短い遅延で「Ｉｎｔｅｒ-ｓｉｔｅ  ＣＡ」を再開する。【解決手段】本発明に係る移動通信システムでは、無線基地局ｅＮＢ＃１が、前「Ｉｎｔｅｒ-ｓｉｔｅ  ＣＡ」を行っている移動局ＵＥに対して、セル＃１において、「ＴＴＩ-ｂｕｎｄｌｉｎｇ」を開始するように指示した場合、無線基地局ｅＮＢ＃１及び無線基地局ｅＮＢ＃１１は、「Ｉｎｔｅｒ-ｓｉｔｅ  ＣＡ」の設定を維持し、無線基地局ｅＮＢ＃１１は、セル＃２における移動局ＵＥに対する上りリンクデータのスケジューリングを停止するように構成されている。【選択図】図３
2014187650.tif 000002
【特許請求の範囲】
【請求項１】
移動局が、第１無線基地局配下の第１セル及び第２無線基地局配下の第２セルを用いてキャリアアグリゲーションを行うことができるように構成されている移動通信システムであって、
前記第１無線基地局が、前記キャリアアグリゲーションを行っている前記移動局に対して、前記第１セルにおいて、連続するサブフレームに跨って同一の上りリンクデータを送信するＴＴＩバンドリング制御を開始するように指示した場合、該第１無線基地局及び前記第２無線基地局は、該キャリアアグリゲーションの設定を維持し、該第２無線基地局は、前記第２セルにおける該移動局に対する上りリンクデータのスケジューリングを停止するように構成されていることを特徴とする移動通信システム。
【請求項２】
前記第２無線基地局は、前記第１無線基地局からのスケジューリング停止要求に応じて、前記第２セルにおける前記移動局に対する上りリンクデータのスケジューリングを停止するように構成されていることを特徴とする請求項１に記載の移動通信システム。
【請求項３】
前記移動局は、前記ＴＴＩバンドリング制御の開始指示に応じて、前記第２セルにおける上りリンクデータの送信を延期するように構成されていることを特徴とする請求項１又は２に記載の移動通信システム。
【請求項４】
前記移動局は、前記ＴＴＩバンドリング制御の開始指示に応じて、前記第２セルを非アクティブ化するように構成されていることを特徴とする請求項１又は２に記載の移動通信システム。
【請求項５】
前記移動局は、前記ＴＴＩバンドリング制御の開始指示に応じて、前記第２セルに対して管理しているＴＡタイマを停止するように構成されていることを特徴とする請求項１又は２に記載の移動通信システム。
【請求項６】
前記第１無線基地局が、前記移動局に対して、前記ＴＴＩバンドリング制御を停止するように指示した場合、前記第２無線基地局は、前記第２セルにおける該移動局に対する上りリンクデータのスケジューリングを再開するように構成されていることを特徴とする請求項１乃至５のいずれか一項に記載の移動通信システム。
【請求項７】
前記第２無線基地局は、前記第１無線基地局からのスケジューリング再開要求に応じて、前記第２セルにおける前記移動局に対する上りリンクデータのスケジューリングを再開するように構成されていることを特徴とする請求項６に記載の移動通信システム。
【請求項８】
前記移動局は、前記ＴＴＩバンドリング制御の停止指示に応じて、前記第２セルにおける上りリンクデータの送信を再開するように構成されていることを特徴とする請求項６又は７に記載の移動通信システム。
【請求項９】
前記移動局は、前記ＴＴＩバンドリング制御の停止指示を受信した後、前記第１無線基地局から前記第２セルのアクティブ化指示を受信した場合に、該第２セルにおける上りリンクデータの送信を再開するように構成されていることを特徴とする請求項８に記載の移動通信システム。
【発明の詳細な説明】
【技術分野】
【０００１】
本発明は、移動通信システムに関する。
【背景技術】
【０００２】
ＬＴＥ（Ｌｏｎｇ  Ｔｅｒｍ  Ｅｖｏｌｕｔｉｏｎ）方式では、上りリンクにおけるカバレッジを確保するために、図５（ａ）及び図５（ｂ）に示すように、複数のサブフレームに跨がってＰＵＳＣＨ（Ｐｈｙｓｉｃａｌ  Ｕｐｌｉｎｋ  Ｓｈａｒｅｄ  Ｃｈａｎｎｅｌ）を介して同一の上りリンクデータを送信する「ＴＴＩ-ｂｕｎｄｌｉｎｇ」が規定されている（非特許文献１参照）。
【０００３】
また、ＬＴＥ方式のＲｅｌｅａｓｅ-１０において、２０ＭＨｚを超える広帯域通信（例えば、１００Ｈｚの通信）を実現するために、同一の無線基地局ｅＮＢ配下の複数のＣＣ（Ｃｏｍｐｏｎｅｎｔ  Ｃａｒｒｉｅｒ：コンポーネントキャリア）を束ねて通信を行うＣＡ（Ｃａｒｒｉｅｒ  Ａｇｇｒｅｇａｔｉｏｎ：キャリアアグリゲーション）、すなわち、「Ｉｎｔｒａ-ｅＮＢ  ＣＡ」が導入された（図６（ａ）参照）。
【０００４】
その後、ＬＴＥ方式のＲｅｌｅａｓｅ-１２以降で、「Ｓｍａｌｌ  Ｃｅｌｌ  ｅｎｈａｎｃｅｍｅｎｔ」が提案され、従来よりも更に柔軟なネットワークアーキテクチャの１つとして、異なる無線基地局ｅＮＢ配下のＣＣ（セル）を束ねて通信を行う「Ｉｎｔｅｒ-ｓｉｔｅ  ＣＡ（Ｉｎｔｅｒ-ｅＮＢ  ＣＡ）」の導入が検討されている。
【０００５】
例えば、「Ｉｎｔｅｒ-ｓｉｔｅ  ＣＡ」を用いて、信頼性の必要な制御信号（Ｃ-ｐｌａｎｅ信号）については、ＳＲＢ（Ｓｉｇｎａｌｉｎｇ  Ｒａｄｉｏ  Ｂｅａｒｅｒ）を介して無線基地局ｅＮＢ＃１配下のセル＃１（マクロセル）で通信を行い、広帯域通信の必要なユーザデータ信号（Ｕ-ｐｌａｎｅ信号）については、ＤＲＢ（Ｄａｔａ  Ｒａｄｉｏ  Ｂｅａｒｅｒ）を介して無線基地局ｅＮＢ＃１１配下のセル＃１１（スモールセル）で通信を行うといった運用も考えられる（図６（ｂ）参照）。
【先行技術文献】
【非特許文献】
【０００６】
【非特許文献１】３ＧＰＰ  ＴＳ３６.３２１
【非特許文献２】３ＧＰＰ  ＴＳ３６.３００
【発明の概要】
【発明が解決しようとする課題】
【０００７】
しかしながら、現在のＬＴＥ方式の規定では、「ＴＴＩ-ｂｕｎｄｌｉｎｇ」を行わなければならないような品質の悪い移動局ＵＥに対してはＣＡを行わせないという思想から、移動局ＵＥに対して「ＴＴＩ-ｂｕｎｄｌｉｎｇ」及び上りリンクにおけるＣＡを同時に設定することができない。
【０００８】
したがって、現在のＬＴＥ方式の規定では、上りリンクにおけるＣＡを行っている移動局ＵＥに対して「ＴＴＩ-ｂｕｎｄｌｉｎｇ」を開始する際に、かかる上りリンクにおけるＣＡの設定を解除しなければならない。
【０００９】
その後、「ＴＴＩ-ｂｕｎｄｌｉｎｇ」を停止し、かかる上りリンクにおけるＣＡを再開するためには、再度、移動局ＵＥに対して、上りリンクにおけるＣＡの設定を行わなければならず、かかる上りリンクにおけるＣＡの再開遅延（Ｕ-ｐｌａｎｅ信号の導通遅延）が発生してしまうという問題点があった。
【００１０】
なお、「Ｉｎｔｅｒ-ｓｉｔｅ  ＣＡ」の場合には、図７に示すように、無線基地局ｅＮＢ＃１と無線基地局ｅＮＢ＃１１との間の信号のやり取りが加わるため、「Ｉｎｔｅｒ-ｓｉｔｅ  ＣＡ」の再開遅延は、通常のＣＡ（「Ｉｎｔｒａ-ｓｉｔｅ  ＣＡ」）の再開遅延よりも大きくなる。
【００１１】
特に、無線基地局ｅＮＢ＃１と無線基地局ｅＮＢ＃１１との間のインターフェイスにおける遅延が大きい場合、「Ｉｎｔｅｒ-ｓｉｔｅ  ＣＡ」の再開遅延は致命的になり得る。
【００１２】
無線基地局ｅＮＢ＃１から移動局ＵＥに対して送信される「ＲＲＣ  ｃｏｎｎｅｃｔｉｏｎ  ｒｅｃｏｎｆｉｇｕｒａｔｉｏｎ」に、Ｓｃｅｌｌを追加或いは削除するための制御信号を含めなければならないため、不要なＲＲＣシグナリングオーバヘッドが発生してしまう。
【００１３】
そこで、本発明は、上述の課題に鑑みてなされたものであり、「ＴＴＩ-ｂｕｎｄｌｉｎｇ」を停止した後、短い遅延で「Ｉｎｔｅｒ-ｓｉｔｅ  ＣＡ」を再開することができる移動通信システムを提供することを目的とする。
【課題を解決するための手段】
【００１４】
本発明の第１の特徴は、移動局が、第１無線基地局配下の第１セル及び第２無線基地局配下の第２セルを用いてキャリアアグリゲーションを行うことができるように構成されている移動通信システムであって、前記第１無線基地局が、前記キャリアアグリゲーションを行っている前記移動局に対して、前記第１セルにおいて、連続するサブフレームに跨って同一の上りリンクデータを送信するＴＴＩバンドリング制御を開始するように指示した場合、該第１無線基地局及び前記第２無線基地局は、該キャリアアグリゲーションの設定を維持し、該第２無線基地局は、前記第２セルにおける該移動局に対する上りリンクデータのスケジューリングを停止するように構成されていることを要旨とする。
【発明の効果】
【００１５】
以上説明したように、本発明によれば、「ＴＴＩ-ｂｕｎｄｌｉｎｇ」を停止した後、短い遅延で「Ｉｎｔｅｒ-ｓｉｔｅ  ＣＡ」を再開することができる移動通信システムを提供することができる。
【図面の簡単な説明】
【００１６】
【図１】本発明の第１の実施形態に係る移動通信システムの全体構成図である。
【図２】本発明の第１の実施形態に係る無線基地局ｅＮＢ＃１の機能ブロック図である。
【図３】本発明の第１の実施形態に係る移動通信システムの動作を説明するためのシーケンス図である。
【図４】本発明の第１の実施形態に係る無線基地局ｅＮＢ＃１の動作を示すフローチャートである。
【図５】従来技術を説明するための図である。
【図６】従来技術を説明するための図である。
【図７】従来技術を説明するための図である。
【発明を実施するための形態】
【００１７】
（本発明の第１の実施形態に係る移動通信システム）
図１乃至図４を参照して、本発明の第１の実施形態に係る移動通信システムについて説明する。
【００１８】
図１に示すように、本実施形態に係る移動通信システムは、セル＃１を管理する無線基地局ｅＮＢ＃１と、セル＃１１を管理する無線基地局ｅＮＢ＃１１とを具備している。
【００１９】
ここで、セル＃１１は、スモールセル（ファントムセル）であり、セル＃１は、マクロセルである。なお、セル＃１１のカバレッジエリアと、セル＃１のカバレッジエリアのカバレッジエリアとは、少なくとも一部で重なるように配置されている。
【００２０】
なお、無線基地局ｅＮＢ＃１は、マクロ無線基地局（Ｍａｃｒｏ-ｅＮＢ）と呼ばれてもよく、無線基地局ｅＮＢ＃１１は、スモール無線基地局（Ｓｍａｌｌ-ｅＮＢ）やファントム無線基地局（Ｐｈａｎｔｏｍ-ｅＮＢ）と呼ばれてもよい。
【００２１】
また、本実施形態に係る移動通信システムは、ＬＴＥ方式の移動通信システムであって、かかる本実施形態に係る移動通信システムにおいて、移動局ＵＥは、「Ｉｎｔｅｒ-ｓｉｔｅ  ＣＡ」を行うことができるように構成されている。
【００２２】
なお、本実施形態に係る移動通信システムでは、移動局ＵＥは、無線基地局ｅＮＢ＃１配下のセル＃１及び無線基地局ｅＮＢ＃１１配下のセル＃１１を介して「Ｉｎｔｅｒ-ｓｉｔｅ  ＣＡ」を行うことができるように構成されている。
【００２３】
図２に示すように、本実施形態に係る無線基地局ｅＮＢ＃１は、ＴＴＩ-ｂｕｎｄｌｉｎｇ制御部１１と、ＣＡ制御部１２とを具備している。
【００２４】
ＴＴＩ-ｂｕｎｄｌｉｎｇ制御部１１は、移動局ＵＥに対する「ＴＴＩ-ｂｕｎｄｌｉｎｇ」の設定及び解除についての決定を行うように構成されている。
【００２５】
例えば、ＴＴＩ-ｂｕｎｄｌｉｎｇ制御部１１は、移動局ＵＥに対して「ＴＴＩ-ｂｕｎｄｌｉｎｇ」を設定すると決定すると、移動局ＵＥに対して、「ＲＲＣ  ｃｏｎｎｅｃｔｉｏｎ  ｒｅｃｏｎｆｉｇｕｒａｔｉｏｎ（ＴＴＩ-ｂｕｎｄｌｉｎｇ＝ＯＮ）」を送信することによって、セル＃１における「ＴＴＩ-ｂｕｎｄｌｉｎｇ」の開始を指示するように構成されている。
【００２６】
一方、ＴＴＩ-ｂｕｎｄｌｉｎｇ制御部１１は、移動局ＵＥに対して「ＴＴＩ-ｂｕｎｄｌｉｎｇ」を解除すると決定すると、移動局ＵＥに対して、「ＲＲＣ  ｃｏｎｎｅｃｔｉｏｎ  ｒｅｃｏｎｆｉｇｕｒａｔｉｏｎ（ＴＴＩ-ｂｕｎｄｌｉｎｇ＝ＯＦＦ）」を送信することによって、セル＃１における「ＴＴＩ-ｂｕｎｄｌｉｎｇ」の停止を指示するように構成されている。
【００２７】
ＣＡ制御部１２は、移動局ＵＥについてのＣＡ、特に、「Ｉｎｔｅｒ-ｓｉｔｅ  ＣＡ」に係る制御を行うように構成されている。
【００２８】
例えば、ＴＴＩ-ｂｕｎｄｌｉｎｇ制御部１１が、「Ｉｎｔｅｒ-ｓｉｔｅ  ＣＡ」を行っている移動局ＵＥに対して、セル＃１において「ＴＴＩ-ｂｕｎｄｌｉｎｇ」を開始するように指示した場合、ＣＡ制御部１２は、「Ｉｎｔｅｒ-ｓｉｔｅ  ＣＡ」の設定を維持し、無線基地局ｅＮＢ＃１１に対して、スケジューリング停止要求を送信するように構成されてもよい。
【００２９】
また、ＴＴＩ-ｂｕｎｄｌｉｎｇ制御部１１が、移動局ＵＥに対して、セル＃１において「ＴＴＩ-ｂｕｎｄｌｉｎｇ」を停止するように指示した場合、ＣＡ制御部１２は、無線基地局ｅＮＢ＃１１に対して、スケジューリング再開要求を送信するように構成されてもよい。
【００３０】
なお、上述したスケジューリング停止要求及びスケジューリング再開要求については、無線基地局ｅＮＢ＃１１に対して、複数回送信されてもよい。例えば、無線基地局ｅＮＢ＃１は、所定期間、無線基地局ｅＮＢ＃１１からの送達確認がとれないことを検出した場合に、スケジューリング停止要求及びスケジューリング再開要求を送信するように構成されていてもよい。
【００３１】
これにより、無線基地局ｅＮＢ＃１と無線基地局ｅＮＢ＃１１との間の伝送路において、スケジューリング停止要求及びスケジューリング再開要求が欠落する場合であっても、無線基地局ｅＮＢ＃１１において、スケジューリング停止要求及びスケジューリング再開要求を受信しやすくなるという効果を奏することができる。
【００３２】
以下、図３を参照して、本実施形態に係る移動通信システムの動作について説明する。
【００３３】
図３に示すように、無線基地局ｅＮＢ＃１は、ステップＳ１００１において、セル＃１及びセル＃１１を介して「Ｉｎｔｅｒ-ｓｉｔｅ  ＣＡ」を行っている移動局ＵＥに対して「ＴＴＩ-ｂｕｎｄｌｉｎｇ」を設定すると決定すると、ステップＳ１００２において、移動局ＵＥに対して、「ＲＲＣ  ｃｏｎｎｅｃｔｉｏｎ  ｒｅｃｏｎｆｉｇｕｒａｔｉｏｎ（ＴＴＩ-ｂｕｎｄｌｉｎｇ＝ＯＮ）」を送信すると共に、ステップＳ１００３において、無線基地局ｅＮＢ＃１１に対して、スケジューリング停止要求を送信する。
【００３４】
ステップＳ１００４において、移動局ＵＥは、無線基地局ｅＮＢ＃１に対して、「ＲＲＣ  ｃｏｎｎｅｃｔｉｏｎ  ｒｅｃｏｎｆｉｇｕｒａｔｉｏｎ  ｃｏｍｐｌｅｔｅ」を送信し、ステップＳ１００５において、無線基地局ｅＮＢ＃１１は、無線基地局ｅＮＢ＃１に対して、スケジューリング停止要求応答を送信する。
【００３５】
ここで、無線基地局ｅＮＢ＃１１は、無線基地局ｅＮＢ＃１からのスケジューリング停止要求に応じて、セル＃２における移動局ＵＥに対する上りリンクデータのスケジューリングを停止する。
【００３６】
なお、無線基地局ｅＮＢ＃１及び無線基地局ｅＮＢ＃１１は、移動局ＵＥに対する「Ｉｎｔｅｒ-ｓｉｔｅ  ＣＡ」の設定を維持するものとする。すなわち、移動局ＵＥと無線基地局ｅＮＢ＃１及び無線基地局ｅＮＢ＃１１との間のコネクションは維持されるものとする。
【００３７】
また、移動局ＵＥは、「ＲＲＣ  ｃｏｎｎｅｃｔｉｏｎ  ｒｅｃｏｎｆｉｇｕｒａｔｉｏｎ（ＴＴＩ-ｂｕｎｄｌｉｎｇ＝ＯＮ）」に応じて、セル＃１１における上りリンクデータの送信を延期してもよい。
【００３８】
或いは、移動局ＵＥは、「ＲＲＣ  ｃｏｎｎｅｃｔｉｏｎ  ｒｅｃｏｎｆｉｇｕｒａｔｉｏｎ（ＴＴＩ-ｂｕｎｄｌｉｎｇ＝ＯＮ）」に応じて、セル＃１１を非アクティブ化してもよい。
【００３９】
なお、かかる非アクティブ化については、無線基地局ｅＮＢからの指示を以って行われてもよいし、移動局ＵＥによって自律的に行われてもよい。
【００４０】
或いは、移動局ＵＥは、「ＲＲＣ  ｃｏｎｎｅｃｔｉｏｎ  ｒｅｃｏｎｆｉｇｕｒａｔｉｏｎ（ＴＴＩ-ｂｕｎｄｌｉｎｇ＝ＯＮ）」に応じて、セル＃１１に対して管理しているＴＡ（Ｔｉｍｉｎｇ  Ａｌｉｇｎｍｅｎｔ）タイマを停止してもよい。
【００４１】
その後、無線基地局ｅＮＢ＃１は、ステップＳ１００６において、移動局ＵＥに対して「ＴＴＩ-ｂｕｎｄｌｉｎｇ」を解除すると決定すると、ステップＳ１００７において、「ＲＲＣ  ｃｏｎｎｅｃｔｉｏｎ  ｒｅｃｏｎｆｉｇｕｒａｔｉｏｎ（ＴＴＩ-ｂｕｎｄｌｉｎｇ＝ＯＦＦ）」を送信し、ステップＳ１００８において、無線基地局ｅＮＢ＃１１に対して、スケジューリング再開要求を送信する。
【００４２】
ステップＳ１００９において、移動局ＵＥは、無線基地局ｅＮＢ＃１に対して、「ＲＲＣ  ｃｏｎｎｅｃｔｉｏｎ  ｒｅｃｏｎｆｉｇｕｒａｔｉｏｎ  ｃｏｍｐｌｅｔｅ」を送信し、ステップＳ１０１０において、無線基地局ｅＮＢ＃１１は、無線基地局ｅＮＢ＃１に対して、スケジューリング再開要求応答を送信する。
【００４３】
ステップＳ１０１１において、移動局ＵＥは、無線基地局ｅＮＢ＃１１との間でランダムアクセス手順を行う。
【００４４】
ステップＳ１０１２において、無線基地局ｅＮＢ＃１１は、セル＃２における移動局ＵＥに対する上りリンクデータのスケジューリングを再開する。
【００４５】
無線基地局ｅＮＢ＃１１は、無線基地局ｅＮＢ＃１からのスケジューリング再開要求に応じて、セル＃２における移動局ＵＥに対する上りリンクデータのスケジューリングを再開してもよい。
【００４６】
また、移動局ＵＥは、「ＲＲＣ  ｃｏｎｎｅｃｔｉｏｎ  ｒｅｃｏｎｆｉｇｕｒａｔｉｏｎ（ＴＴＩ-ｂｕｎｄｌｉｎｇ＝ＯＦＦ）」に応じて、セル＃１１における上りリンクデータの送信を再開する。
【００４７】
なお、移動局ＵＥは、「ＲＲＣ  ｃｏｎｎｅｃｔｉｏｎ  ｒｅｃｏｎｆｉｇｕｒａｔｉｏｎ（ＴＴＩ-ｂｕｎｄｌｉｎｇ＝ＯＦＦ）」を受信した後、無線基地局ｅＮＢ＃１からセル＃１１のアクティブ化指示を受信した場合に、セル＃１１における上りリンクデータの送信を再開してもよい。
【００４８】
本実施形態に係る移動通信システムによれば、無線基地局ｅＮＢ＃１と無線基地局ｅＮＢ＃１１との間の信号のやり取りを待たずに、上述の「Ｉｎｔｅｒ-ｓｉｔｅ  ＣＡ」を再開することができるため、「Ｉｎｔｅｒ-ｓｉｔｅ  ＣＡ」の再開（Ｕ-ｐｌａｎｅ信号の導通）までにかかる時間をより短縮することができる。
【００４９】
また、本実施形態に係る移動通信システムによれば、無線基地局ｅＮＢ＃１から移動局ＵＥに対して送信される「ＲＲＣ  ｃｏｎｎｅｃｔｉｏｎ  ｒｅｃｏｎｆｉｇｕｒａｔｉｏｎ」に、Ｓｃｅｌｌを追加或いは削除するための制御信号を含める必要がないため、不要なＲＲＣシグナリングオーバヘッドの発生を回避することができる。
【００５０】
また、図４を参照して、本実施形態に係る無線基地局ｅＮＢ＃１の動作について説明する。
【００５１】
図４に示すように、無線基地局ｅＮＢ＃１は、ステップＳ１０１において、ＣＡを行っている移動局ＵＥに対して「ＴＴＩ-ｂｕｎｄｌｉｎｇ」を設定すると決定すると、ステップＳ１０２において、設定されているＳｃｅｌｌが無線基地局ｅＮＢ＃１以外の無線基地局ｅＮＢ配下のセルであるか否かについて判定する。
【００５２】
「ＹＥＳ」の場合、本動作は、ステップＳ１０３に進み、「ＮＯ」の場合、本動作は、ステップＳ１０４に進む。
【００５３】
ステップＳ１０３において、無線基地局ｅＮＢ＃１は、Ｓｃｅｌｌを維持し、ステップＳ１０４において、無線基地局ｅＮＢ＃１は、Ｓｃｅｌｌを削除する。
【００５４】
以上に述べた本実施形態の特徴は、以下のように表現されていてもよい。
【００５５】
本実施形態の第１の特徴は、移動局ＵＥが、無線基地局ｅＮＢ＃１（第１無線基地局）配下のセル＃１（第１セル）及び無線基地局ｅＮＢ＃１１（第２無線基地局）配下のセル＃１１（第２セル）を用いて「Ｉｎｔｅｒ-ｓｉｔｅ  ＣＡ（キャリアアグリゲーション）」を行うことができるように構成されている移動通信システムであって、無線基地局ｅＮＢ＃１が、「Ｉｎｔｅｒ-ｓｉｔｅ  ＣＡ」を行っている移動局ＵＥに対して、セル＃１において、「ＴＴＩ-ｂｕｎｄｌｉｎｇ（連続するサブフレームに跨って同一の上りリンクデータを送信するＴＴＩバンドリング制御）」を開始するように指示した場合、無線基地局ｅＮＢ＃１及び無線基地局ｅＮＢ＃１１は、「Ｉｎｔｅｒ-ｓｉｔｅ  ＣＡ」の設定を維持し、無線基地局ｅＮＢ＃１１は、セル＃２における移動局ＵＥに対する上りリンクデータのスケジューリングを停止するように構成されていることを要旨とする。
【００５６】
かかる特徴によれば、上りリンクにおけるＣＡを行っている移動局ＵＥに対して「ＴＴＩ-ｂｕｎｄｌｉｎｇ」を開始する際に、かかる上りリンクにおけるＣＡの設定を維持しておくように構成されているため、その後、「ＴＴＩ-ｂｕｎｄｌｉｎｇ」を停止し、かかる上りリンクにおけるＣＡを再開する際に、上りリンクにおけるＣＡの再開（Ｕ-ｐｌａｎｅ信号の導通）までにかかる時間を短縮することができる。
【００５７】
本実施形態の第１の特徴において、無線基地局ｅＮＢ＃１１は、無線基地局ｅＮＢ＃１からのスケジューリング停止要求に応じて、セル＃１１における移動局ＵＥに対する上りリンクデータのスケジューリングを停止するように構成されていてもよい。
【００５８】
かかる特徴によれば、無線基地局ｅＮＢ＃１が、無線基地局ｅＮＢ＃１１に対して、セル＃１１における移動局ＵＥに対する上りリンクデータのスケジューリングの停止タイミングを指示することができる。
【００５９】
本実施形態の第１の特徴において、移動局ＵＥは、「ＲＲＣ  ｃｏｎｎｅｃｔｉｏｎ  ｒｅｃｏｎｆｉｇｕｒａｔｉｏｎ（ＴＴＩ-ｂｕｎｄｌｉｎｇ＝ＯＮ）（ＴＴＩバンドリング制御の開始指示）」に応じて、セル＃１１における上りリンクデータの送信を延期するように構成されていてもよい。
【００６０】
かかる特徴によれば、Ｓｃｅｌｌ（セル＃１１）の設定を維持したまま、セル＃１において「ＴＴＩ-ｂｕｎｄｌｉｎｇ」を開始することができる。
【００６１】
本実施形態の第１の特徴において、移動局ＵＥは、「ＲＲＣ  ｃｏｎｎｅｃｔｉｏｎ  ｒｅｃｏｎｆｉｇｕｒａｔｉｏｎ（ＴＴＩ-ｂｕｎｄｌｉｎｇ＝ＯＮ）」に応じて、セル＃１１を非アクティブ化（ｄｅａｃｔｉｖａｔｉｏｎ）するように構成されていてもよい。
【００６２】
かかる特徴によれば、Ｓｃｅｌｌ（セル＃１１）の設定を維持したまま、セル＃１において「ＴＴＩ-ｂｕｎｄｌｉｎｇ」を開始することができる。
【００６３】
本実施形態の第１の特徴において、移動局ＵＥは、「ＲＲＣ  ｃｏｎｎｅｃｔｉｏｎ  ｒｅｃｏｎｆｉｇｕｒａｔｉｏｎ（ＴＴＩ-ｂｕｎｄｌｉｎｇ＝ＯＮ）」に応じて、セル＃１１に対して管理しているＴＡタイマを停止するように構成されていてもよい。
【００６４】
かかる特徴によれば、Ｓｃｅｌｌ（セル＃１１）の設定を維持したまま、セル＃１において「ＴＴＩ-ｂｕｎｄｌｉｎｇ」を開始することができる。
【００６５】
本実施形態の第１の特徴において、無線基地局ｅＮＢ＃１が、移動局ＵＥに対して、「ＲＲＣ  ｃｏｎｎｅｃｔｉｏｎ  ｒｅｃｏｎｆｉｇｕｒａｔｉｏｎ（ＴＴＩ-ｂｕｎｄｌｉｎｇ＝ＯＦＦ）」を送信した場合（ＴＴＩバンドリング制御を停止するように指示した場合）、無線基地局ｅＮＢ＃１１は、セル＃１１における移動局ＵＥに対する上りリンクデータのスケジューリングを再開するように構成されていてもよい。
【００６６】
かかる特徴によれば、セル＃１における移動局ＵＥに対する「Ｉｎｔｅｒ-ｓｉｔｅ  ＣＡ」を再開するために、かかる「Ｉｎｔｅｒ-ｓｉｔｅ  ＣＡ」を再設定するという事態を回避することができる。
【００６７】
本実施形態の第１の特徴において、無線基地局ｅＮＢ＃１１は、無線基地局ｅＮＢ＃１からのスケジューリング再開要求に応じて、セル＃１１における移動局ＵＥに対する上りリンクデータのスケジューリングを再開するように構成されていてもよい。
【００６８】
かかる特徴によれば、無線基地局ｅＮＢ＃１が、無線基地局ｅＮＢ＃１１に対して、セル＃１１における移動局ＵＥに対する上りリンクデータのスケジューリングの再開タイミングを指示することができる。
【００６９】
本実施形態の第１の特徴において、移動局ＵＥは、「ＲＲＣ  ｃｏｎｎｅｃｔｉｏｎ  ｒｅｃｏｎｆｉｇｕｒａｔｉｏｎ（ＴＴＩ-ｂｕｎｄｌｉｎｇ＝ＯＦＦ）」に応じて、セル＃１１における上りリンクデータの送信を再開するように構成されていてもよい。
【００７０】
かかる特徴によれば、移動局ＵＥは、Ｓｃｅｌｌ（セル＃１１）再設定することなく、セル＃１及びセル＃１１を介した「Ｉｎｔｅｒ-ｓｉｔｅ  ＣＡ」を再開することができる。
【００７１】
本実施形態の第１の特徴において、移動局ＵＥは、「ＲＲＣ  ｃｏｎｎｅｃｔｉｏｎ  ｒｅｃｏｎｆｉｇｕｒａｔｉｏｎ（ＴＴＩ-ｂｕｎｄｌｉｎｇ＝ＯＦＦ）」を受信した後、無線基地局ｅＮＢ＃１からセル＃１１のアクティブ化（Ａｃｔｉｖａｔｉｏｎ）指示を受信した場合に、セル＃１１における上りリンクデータの送信を再開するように構成されていてもよい。
【００７２】
かかる特徴によれば、無線基地局ｅＮＢ＃１が、移動局ＵＥに対して、セル＃１及びセル＃１１を介した「Ｉｎｔｅｒ-ｓｉｔｅ  ＣＡ」の再開タイミングを指示することができる。
【００７３】
なお、上述の移動局ＵＥや無線基地局ｅＮＢ＃１/ｅＮＢ＃１１の動作は、ハードウェアによって実施されてもよいし、プロセッサによって実行されるソフトウェアモジュールによって実施されてもよいし、両者の組み合わせによって実施されてもよい。
【００７４】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００７５】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥや無線基地局ｅＮＢ＃１/ｅＮＢ＃１１内に設けられていてもよい。また、かかる記憶媒体及びプロセッサは、ディスクリートコンポーネントとして移動局ＵＥや無線基地局ｅＮＢ＃１/ｅＮＢ＃１１内に設けられていてもよい。
【００７６】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００７７】
ｅＮＢ＃１、ｅＮＢ＃１１…無線基地局
ＵＥ…移動局
１１…ＴＴＩ  ｂｕｎｄｌｉｎｇ制御部
１２…ＣＡ制御部
【図１】
2014187650.tif 000003
【図２】
2014187650.tif 000004
【図３】
2014187650.tif 000005
【図４】
2014187650.tif 000006
【図５】
2014187650.tif 000007
【図６】
2014187650.tif 000008
【図７】
2014187650.tif 000009